(57)【特許請求の範囲】
【請求項１】
ポール上にガス計測器を設け、先端にガス吸引口を設けたガス吸引パイプをポール下端部からその突出長を可変として突出し、このガス吸引パイプはポール内を通しガス計測器に接続させ、また、ポール下端部外周に地盤に開ける穴径よりも大径の挿入阻止部をポールの脚部として設け、さらに、ポール下端部外周に前記挿入阻止部を内方に取り込んで穴の開口を覆うフードを設けたことを特徴とする地盤の表層ガス計測装置。
【発明の詳細な説明】
【０００１】
【発明の属する技術分野】
本発明は、化学工場、製油工場、または工場跡地などで多く見られる汚染地盤の調査を行う地盤の表層ガス計測装置に関する。
【０００２】
【従来の技術】
地盤の汚染調査はボーリングによるサンプリング・コアの分析が主であり、これには時間・費用がかかる。
【０００３】
これに対して近年地盤の表層ガスを検知または計測することにより、汚染地盤の表層の汚染度を相対的に把握することが行われ、その方法としてはバッシブ法とアクティブ法とがある。
【０００４】
バッシブ法は活性炭吸着／電磁加熱脱着質量分析法で、図７に示すように試験管大のガスコレクター１を地表面に開けた直径約４ｃｍ、地中約３０ｃｍの穴に埋設して、金属製の蓋２をし、１〜２週間放置後回収する。
【０００５】
アクティブ法には検知管法、ポータブルガスクロマト法、吸着／熱脱着／ＧＣ法があり、検知管法は図８に示すように対象ガスを決めて専用の検知管３を直径２ｃｍ、深さ１００ｃｍの穴に差し込みガス体を定体積吸引する。
【０００６】
ポータブルガスクロマト法は図９に示すように直径２ｃｍ深さ１００ｃｍの穴にチューブ５を差し込みガスをガスパック４に定体積吸引する。
【０００７】
吸着／熱脱着／ＧＣ法は図１０に示すように直径２ｃｍ深さ１００ｃｍの穴に吸着管６を差し込みポンプ７の作用でガスを定体積吸引する。
【０００８】
【発明が解決しようとする課題】
このような従来の簡易な表層ガス調査技術は、いずれも地表地盤の２０〜１００ｃｍ程度の深さの穴をあける必要があるものであるが、この穴あけに時間と労力を要し、また、分析にも時間がかかる。その結果、数多くの測定、評価を行うためには手間と費用がかかるものであった。
【０００９】
なお、土壌中のガス検知装置としてガスセンサーを内蔵した保護管を土壌中に挿入するものも幾つか提案されている。
【００１０】
例えば、実公平２−４０５２９号公報は土壌内に残留しているくん蒸剤ガス等を検知する装置として、下方部に吸気孔を有する第１の保護管部と、この保護管部に対して可動に設けられた前記吸気孔を開閉する第２の保護管部とを有して成り、下端が逆円錐状の閉鎖端部を形成する保護管、前記保護管内において前記吸込孔位置よりも上方の所定位置に設けられたガスセンサー、及び、前記保護管内の空間上方郡に通気的に接続された吸気装置（吸気ポンプ）を具備している。
【００１１】
実公平４−３８２９３号公報は、内部にガスセンサーを収納した上、下端部が開口した保護筒管と、その上端開口部に気密に接続された吸気装置、および前記保護筒管の下端部に螺合可能であって、その下端開口部を閉塞し得る先端の尖った逆円錐状キャップとから構成され、該キャップは、その側面に、該キャップの軸心方向に沿って張設され、当該キャップそれ自体の回動を抑制し得る少なくとも１枚の固定板を有し、また、前記保護筒管は、その下端部における前記キャップとの螺合部側面に穿設された吸気孔を有し、該吸気孔が前記キャップと対応する保護筒管との螺合作用により開閉自在になされたものであることを特徴とする土壌中ガス検知具である。
【００１２】
特開平３−１４０８５４号公報では、土壌中のガス濃度測定装置としては、長手支持体であって、頭部と、頭部に連なり頭部よりも小径の首部と、首部に連なり首部よりも大径であり、首部に臨んで透孔が形成されている基端部とを有する先端部と、先端部に連なる筒体とを有する、そのような長手支持体と、前記先端部の透孔付近で長手支持体内に収納されるガス検出素子とを含むことを特徴とするものである。
【００１３】
特許第２９４４７３６号公報のガスの漏洩場所の検出装置としては、細長い支持部材と、支持部材の長手方向に間隔をあけて設けられる複数のガス濃度検出素子と、支持部材の挿入される土壌に形成された掘削孔の場所を入力する入力手段と、ガス濃度検出素子と入力手段との各出力に応答し、等濃度の場所を線で結んだ等濃度線図を作成する手段と、作成手段によって作成された等濃度線図を出力表示する手段とを含むことを特徴するものである。
【００１４】
これらの保護管（筒体）を土壌中に挿入する従来のものはいずれもガスセンサーを内蔵させるものであり、保護管（筒体）にはガス検知のために吸気孔を設けている。この吸気孔は測定後に閉塞したり、あるいは保護管内への土壌の侵入が予想され、測定毎に洗浄、乾燥させることが必要となる。そのため、頻繁な計測では作業効率の悪いものとなる。
【００１５】
また、計測にあたり保護管（筒体）を変形させずに、かつ地面に対して垂直に挿通させる必要があるため、長く挿通することは困難であり、地中深さの計測に限度がある。
【００１６】
本発明の目的は前記従来例の不都合を解消し、全体がポールを主体とするので大がかりな装置とならず、設置・搬送・移動も容易であり、また、ガス検出素子を内蔵するガス計測器は計測個所と分離して地上のポール上部に設け、地中には先端にガス吸引口を設けたガス吸引パイプを差し入れるだけなので、目詰まり等のおそれがなくメンテナンスも簡単であり、さらに、地盤中の１ｍ程度の深い所までの計測も困難なくできる地盤の表層ガス計測装置を提供することにある。
【００１７】
【課題を解決するための手段】
本発明は前記目的を達成するため、ポール上にガス計測器を設け、先端にガス吸引口を設けたガス吸引パイプをポール下端部からその突出長を可変として突出し、このガス吸引パイプはポール内を通しガス計測器に接続させ、また、ポール下端部外周に地盤に開ける穴径よりも大径の挿入阻止部をポールの脚部として設け、さらに、ポール下端部外周に前記挿入阻止部を内方に取り込んで穴の開口を覆うフードを設けたことを要旨とするものである。
【００１８】
本発明によれば、汚染サイトに設けた計測穴に先端にガス吸引口を設けたガス吸引パイプを挿入しながらポールを立てれば、ガス吸引口からの吸引ガスがポールのガス計測器に送られ、ここで計測される。穴にはガス吸引口を設けたガス吸引パイプのみの挿入でよく、ポール自体の挿入はないので目詰まり等のおそれがなくメンテナンスも簡単であり、また、全体がポールを主体としたコンパトなものであり、大がかりな装置とならず、設置、搬送・移動も容易である。
【００１９】
また、フードで穴の開口を覆うことで地上外部の影響を除くことができる。
【００２０】
さらに、先端にガス吸引口を設けたガス吸引パイプはポール下端部からの突出長を変更できるので、計測の穴の長さが短いものから長いものに適用でき、特に１ｍ程度の長い穴でもガス吸引パイプの繰り出しで簡単にセットすることができる。
【００２１】
【発明の実施の形態】
以下、図面について本発明の実施形態を詳細に説明する。図１は本発明の地盤の表層ガス計測装置の１実施形態を示す側面図、図２は同上正面図、図３は図１のＡ−Ａ線矢視図で、図中８は途中に横コ字形の手掛け用ハンドル９を設けたアルミ製の中空なポールである。
【００２２】
このポール８の上部に収納ケース１０に収めたガス計測器１１を設けた。このガス計測器１１には市販のハンディタイプの高感度ガス検知装置（商品名称：ｐｐｂＲＡＥ  Ｍｏｄｅｌ  ＰＧＭ−７２４０  製造：ＲＡＥ  ＳＹＳＴＥＭＳ
製）が好適である。該ガス計測器１１は吸引ポンプやガス検出素子（センサー）を組込んでおり、ＩＣカードを内蔵していて計測データをオフラインでパソコン１２と連携してＦＤ（フロッピーディスク）等で保存できるものである。
【００２３】
また、ポール８の下端部外周に地盤に開ける穴径よりも大径の挿入阻止部１３を設けた。この挿入阻止部１３は円盤の鍔状のものでもよいが、図示の実施形態では円形リングから下方に脚柱を突設した五徳タイプのものとした。なお、挿入阻止部１３にはポール８の脚部としてスタンド的な役割を持たせてもよい。
【００２４】
さらに、ポール８下端部外周に穴の開口を覆うフード１４を設けた。このフード１４は前記挿入阻止部１３を内方に取り込んでなる笠状のものとした。
【００２５】
前記ガス計測器１１にはテフロンチューブ等によるガス吸引パイプ１５を接続するが、このガス吸引パイプ１５はポール８内を通し、下端から引き出してその先端にガス吸引口１６を設けた。このポール８の下端からのガス吸引パイプ１５の引き出し長は図示のようにガス計測器１１とポール８との間でガス吸引パイプ１５に弛みを持たせることで、長さを変更できるものとした。
【００２６】
また、ガス吸引口１６はフィルター１７を添設して、このガス吸引口１６からの土砂の侵入と目詰まりを防ぐ。
【００２７】
図１中、１８は鋼棒による穿孔棒で、先端部を削孔部１９とし、途中にストッパー用鍔部２０を設けた。なお、削孔部１９の先は尖らせるようにしてもよい。
【００２８】
次に使用法について説明する。まず、穿孔棒１８で計測点の穿孔を行う、この穿孔棒１８は削孔部１９を地盤に圧入すれば、ストッパー用鍔部２０の位置までこの削孔部１９が入り込み、均一深さで穴を開けることができる。なお、穴はこの穿孔棒１８以外のボーリングで開けることもできる。
【００２９】
この穴２１の上にポール８を立設し、先端にガス吸引口１６を設けたガス吸引パイプ１５を穴２１内に挿入し、ガス計測器１１に組み込んだポンプより土壌ガスを吸引して測定する。測定での検知時間は１〜２分程度である。
【００３０】
収録した計測データはガス計測器１１のＩＣカード内に収録されており、ノートパソコンその他のパソコン１２と連携してＦＤディスク等の媒体に保存され、処理が行われる。
【００３１】
結果の出力は下記表１に示すようなものであり、図６に示すように各計測点のデータをもとに平面ガス濃度分布として出力する。なおガス濃度分布はガス計測器１１の特性から換算トルエン濃度による相対的分布として表されている。
【００３２】
【表１】
0003540737.tif 000002
【００３３】
図４、図５は本発明の第２実施形態を示すもので、穿孔棒１８は先端部の削孔部１９を長さ１００ｃｍ、φ１ｃｍ程度にしたもので、先端にガス吸引口１６を設けたガス吸引パイプ１５もポール８の下端から１００ｃｍ程度近くを引き出す。
【００３４】
【発明の効果】
以上述べたように本発明の地盤の表層ガス計測装置は、全体がポールを主体とするので大がかりな装置とならず、設置・搬送・移動も容易であり、また、ガス検出素子を内蔵するガス計測器は計測個所と分離して地上のポール上に設け、地中には先端にガス吸引口を設けたガス吸引パイプを差し入れるだけなので、目詰まり等のおそれがなくメンテナンスも簡単であり、さらに、地盤中の１ｍ程度の深い所までの計測も困難なくできるものである。
【図面の簡単な説明】
【図１】
本発明の地盤の表層ガス計測装置の１実施形態を示す側面図である。
【図２】
本発明の地盤の表層ガス計測装置の１実施形態を示す正面図である。
【図３】
図１のＡ−Ａ線矢視図である。
【図４】
本発明の地盤の表層ガス計測装置の２実施形態を示す側面図である。
【図５】
本発明の地盤の表層ガス計測装置の２実施形態を示す正面図である。
【図６】
平面ガス濃度分布図である。
【図７】
従来例の第１例を示す説明図である。
【図８】
従来例の第２例を示す説明図である。
【図９】
従来例の第３例を示す説明図である。
【図１０】
従来例の第４例を示す説明図である。
【符号の説明】
１…ガスコレクター              ２…蓋
３…検知管                      ４…ガスパック
５…チューブ                    ６…吸着管
７…ポンプ                      ８…ポール
９…手掛け用ハンドル            １０…収納ケース
１１…ガス計測器                １２…パソコン
１３…挿入阻止部                １４…フード
１５…ガス吸引パイプ            １６…ガス吸引口
１７…フィルター                １８…穿孔棒
１９…削孔部                    ２０…ストッパー用鍔部
２１…穴
【図１】
0003540737.tif 000003
【図２】
0003540737.tif 000004
【図３】
0003540737.tif 000005
【図４】
0003540737.tif 000006
【図５】
0003540737.tif 000007
【図６】
0003540737.tif 000008
【図７】
0003540737.tif 000009
【図８】
0003540737.tif 000010
【図９】
0003540737.tif 000011
【図１０】
0003540737.tif 000012